(57)【特許請求の範囲】
【請求項１】
鋼棒（７）を円形に曲げ加工してなり、当該鋼棒（７）の両端部を前記円形の略半周に亙って、その円形の軸方向にオーバーラップさせてなる二本のリング（６，６）を、間隔をおいて互いに平行に固定し、鋼棒（７）の両端に両リング（６，６）の外側に跨がってフランジ（９，９）を取り付けると共に、鋼棒（７）の中央部には両リング（６，６）の外側に跨がって、前記フランジ（９，９）に対向した受けフランジ（１０，１０）を取り付け、前記フランジ（９，９）と受けフランジ（１０，１０）とを相互に接近する方向に締付ける締付け手段（１３，１４）を設けたことを特徴とする、杭体への袋体の固定具
【請求項２】
杭体（１）の先端部に、両端部に杭体（１）の外径にほゞ等しいか又はそれよりやゝ大きい小径部（１７）が形成され、中央部に杭体（１）の外径より十分に大きい大径部（１８）を有する袋体（２）を嵌合し、その袋体（２）の小径部（１７）を、請求項１に記載の固定具（５）で締付けて杭体（１）に固定したことを特徴とする、杭体への袋体の取付け構造
【請求項３】
前記袋体（２）の両端部を外側に折返し、当該折返し縁（２３）の内側に環状の紐状物（２４）を介装し、折返し部（２５）の外側から前記固定具（５）で締付けたことを特徴とする、請求項２に記載の杭体への袋体の取付け構造
【請求項４】
前記杭体（１）の端末外周に、環状のリブ（２６）を突設したことを特徴とする、請求項２又は３に記載の杭体への袋体の取付け構造
【請求項５】
前記杭体（１）の外周に環状のリブ（２６）を突設し、当該リブ（２６）が二本のリング（６，６）の間に位置するように固定具（５）を配置したことを特徴とする、請求項２又は３に記載の杭体への袋体の取付け構造
【発明の詳細な説明】
【０００１】
【産業上の利用分野】
本発明は、土木又は建築工事における、杭の先端部に袋体を取付けるための固定具及び、その取付け構造に関するものである。
【０００２】
【従来の技術】
従来から、土木又は建築工事において、杭の支持力を増強する目的で、杭の先端部に布製の袋体を取付け、その杭を地中に埋め込んだ後、前記袋体内に高圧のコンクリートなどの硬化材料を圧入し、当該硬化材料で袋体を膨ませて地盤に圧接固定する方法が知られており、例えば特公平４−４０４９１号公報に記載されている。
【０００３】
【発明が解決しようとする課題】
この方法は、杭を硬化材料で膨まされた袋体を介して地盤に強固に固定する必要があるため、硬化材料は袋体内に高圧で圧入され、袋体はその高い圧力に耐えるものであることが必要である。
【０００４】
そしてその袋体の両端部は、強固に杭に固定されていなければならず、袋体内に高い圧力が作用した場合においても、その固定部が破壊されたり、内部の硬化材料が漏出することがあってはならない。
【０００５】
従来の杭においては、杭体より十分に大径の袋体の両端を絞り、金属バンドなどによって締付けて杭体に固定していたが、径の大きな袋体を使用する場合においては、袋体内に高圧が作用すると袋体が膨脹し、かかる金属バンドは容易に破断し、高圧の硬化材料を圧入することができなかったのである。
【０００６】
図８は杭体１に袋体２の端末部を、金属バンド３で締付けて固定した状態を示す図面である。袋体２内に圧入された硬化材料４の圧力が低い場合には、図８に実線で示すように袋体２は金属バンド３により適切に締付けられて固定されているが、径の大きな袋体２を使用し、しかも硬化材料４の圧力が高くなると、袋体２が内圧によって伸長し、鎖線で示すように袋体２の端部が金属バンド３の外側に被さるようになり、金属バンド３の縁を捲り上げるように作用する。
【０００７】
そのため金属バンド３は、それ自体は金属バンド３内の圧力に耐え得るような強度を有していても、その一方の縁から捲り上げられるため、容易に破断してしまうのである。また捲り上げられた金属バンド３の縁により、袋体２が傷付けられる恐れもある。
【０００８】
このように径の大きな袋体を使用する場合には、硬化材料を高圧で注入することができないので、地盤に対して強固に押付けることができず、杭の地盤への固定強度を高めることが困難であった。
【０００９】
本発明はかかる事情に鑑みなされたものであって、固定具が破断することなく袋体２内に高圧の硬化材料を圧入することができ、杭を地盤に対して強固に固定せしめることを目的とするものである。
【００１０】
【課題を解決する手段】
而して本発明の固定具は、鋼棒を円形に曲げ加工してなり、当該鋼棒（７）の両端部を前記円形の略半周に亙って、その円形の軸方向にオーバーラップさせてなる二本のリングを、間隔をおいて互いに平行に固定し、鋼棒の両端に両リングの外側に跨がってフランジを取り付けると共に、鋼棒の中央部には両リングの外側に跨がって、前記フランジに対向した受けフランジを取り付け、前記フランジと受けフランジとを相互に接近する方向に締付ける締付け手段を設けたことを特徴とするものである。
【００１１】
また袋体の杭体への取付け構造の発明は、杭体の先端部に、両端が杭体の外径にほゞ等しいか又はそれよりやゝ大きい小径部が形成され、中央部に杭体の外径より十分に大きい大径部を有する袋体を嵌合し、その袋体の両端の小径部を、前述の固定具で締付けて杭体に固定したことを特徴とするものである。
【００１２】
図１及び図２は本発明の固定具５を示すものであって、この固定具５は一対のリング６，６よりなっている。
【００１３】
各リング６，６はそれぞれ鋼棒７，７を円形に湾曲させたものであって、その両端部はそれぞれ円形の略半周に亙って、円形の軸方向にオーバーラップせしめられており、その両リング６，６は互いに平行に配置され、ステー８を介して連結されている。
【００１４】
鋼棒７，７の両端には、それぞれ両リング６，６に跨ってフランジ９，９が固定されており、鋼棒７，７の中央部における前記フランジ９，９に対向する位置には、それぞれリング６，６に跨って受けフランジ１０，１０が固定されている。そしてフランジ９，９及び受けフランジ１０，１０は、リング６，６の外側に突出せしめられている。
【００１５】
フランジ９，９及び受けフランジ１０，１０にはそれぞれボルト穴１１，１２が穿設されており、当該ボルト穴１１，１２にボルト１３を通してナット１４で締めることにより、フランジ９，９と受けフランジ１０，１０とが互いに接近し、リング６，６の径が縮小する。
【００１６】
次に図３は、本発明における杭体１への袋体２の取付け構造の一実施例を示すものである。本発明においては、袋体２はたて糸１５とよこ糸１６とよりなる筒状の織布であって、長さ方向に径が変化している。
【００１７】
すなわち、袋体２の両端部は杭体１の外径にほゞ等しいか又はそれよりやゝ大きい径を有する小径部１７を形成し、袋体２の中央部は杭体１の外径より十分に大きい大径部１８が形成されている。
【００１８】
そしてこの袋体２は杭体１の先端部に被せられている。そしてその袋体２の両端部の小径部１７の外側に固定具５が嵌合され、前記ボルト１３とナット１４とを締付けることにより径が縮小され、袋体２は小径部１７において杭体１の表面に強固に締付け固定されている。
【００１９】
【作用】
図４は、本発明により袋体２を取付けた杭２１を地盤に埋設する状態を示すものであって、図４（ａ）は地盤１９に杭埋設孔２０を穿設した状態を示し、図４（ｂ）は、その杭埋設孔２０に杭２１を挿入した状態を示す。杭２１における袋体２は萎んだ状態であり、杭２１を小径の杭埋設孔２０に、容易に挿入することができる。
【００２０】
次いで杭体１に挿通された注入管２２から袋体２内にコンクリートなどの硬化材料４を圧入し、図４（ｃ）に示されるように、当該硬化材料４の圧力によって袋体２を膨ませて杭埋設孔２０を拡開し、地盤１９に強く圧接して杭２１を地盤１９に強固に固定する。
【００２１】
図５は袋体２と杭体１との取付け部を示すものであって、袋体２の小径部１７が固定具５によって杭体１に締付けて固定されている。ここで袋体２内に硬化材料４が圧入されると、その硬化材料４の圧力によって、前述のように袋体２が伸長する。
【００２２】
このとき本発明においては、固定具５のリング６，６が鋼棒よりなり強度が大きいと共に、袋体２の両端部が小径部１７であり、その小径部１７において固定具５で締付けられているため、袋体２がその内圧により固定具５の径を拡大せしめる作用は小さく、袋体２の伸長により主として固定具５を軸方向に押す力のみが作用する。
【００２３】
そして固定具５は二本のリング６，６によって袋体２を締付けており、その接触面積が小さいため、袋体２内の硬化材料４の漏出を有効に抑止しつつ、固定具５は袋体２の表面を滑ることができる。
【００２４】
そのため袋体２が内圧で伸長すると、図５に鎖線で示すように固定具５が滑って端末方向に移動することにより、袋体２の伸長を許容し、袋体２が内圧により固定具の径を拡大せしめる力を軽減することができる。
【００２５】
またこの例においては、袋体２が両端部に小径部１７を有するものとして述べているが、杭体１の外径より十分に大きい一定径の袋体２を使用する場合にあっても、本発明の固定具５を使用することにより、袋体２の内圧による伸長に伴って固定部分が移動する作用を生じ、固定具５を過度に拡張して破断せしめることがなく、また袋体２が損傷することもない。
【００２６】
【実施例】
図６は本発明の実施例を示すものであって、袋体２の小径部１７が外方に折返されて二重になっており、その折返し縁２３の内側には、柔軟な紐、ロープ、ワイヤーなどの、環状の紐状物２４が介装されている。そして折返し部２５の外側から、固定具５によって締付けられている。
【００２７】
この実施例においては、袋体２に内圧が作用して伸長して、固定具５が軸方向に押されたとき、当該固定具５が紐状物２４が介装されて環状に膨んだ折返し縁２３を押圧し、袋体２の端末部が杭体１の表面を滑って移動し、袋体２が伸長することができる。
【００２８】
また図６に示すように、杭体１の端末外面に環状のリブ２６を突設しておくことにより、袋体２が過度に伸長して、杭体１の端末から外れるのを防止することができる。
【００２９】
また図７は本発明の他の実施例を示すものであって、杭体１の外面に環状のリブ２６が突設されており、当該リブ２６がリング６，６の間に位置するように固定具５が配置されている。
【００３０】
この実施例においては、リブ２６がリング６，６の間にある範囲内で固定具５の移動が許容され、袋体２が伸長することができると共に、内側のリング６とリブ２６とにより、固定具５の過度の移動が防止される。
【００３１】
またこの構造を図４における袋体２の上端部の固定具５に適用した場合には、上述のように袋体２の伸長が許容され且つ固定具５の過度の移動が防止されると共に、杭埋設孔２０への杭２１の埋設に不都合が生じて杭２１を抜く必要が生じたときには、杭２１を抜くことにより袋体２が杭体１に対して先端方向に移動するのに伴って固定具５も図７における左方に移動し、外側のリング６がリブ２６に引掛かることによってそれ以上の移動が抑止され、袋体２が過度に先端方向に寄って障害となることなく、杭２１を引抜くことができる。
【００３２】
【発明の効果】
本発明によれば、固定具５が二本のリング６，６よりなり、それが平行に連結されているので、強度が大きく、袋体２が膨むことにより一方から捲れ上ったり、破断したりすることがない。
【００３３】
またリング６，６は、それぞれ線状に袋体２を締付けるので、硬化材料４を袋体２内に封入し、その漏出を阻止すると共に、接触面積が小さいために摩擦抵抗が小さく、固定具５と袋体２の間又は袋体２と杭体１との間で滑りが生じ、袋体２が内圧により伸長するのに伴って固定具５が移動し、袋体２が内圧により固定具５の径を拡大せしめる力を軽減することができる。
【００３４】
さらに本発明の固定具５は、リング６，６の両端部がオーバーラップしており、その端末においてフランジ９，９と受けフランジ１０，１０とを締付け手段により締付けることにより、径を縮小するようにしているので、袋体２を全周に亙って均等に締付けることができる。
【００３５】
また一方のフランジ９と受けフランジ１０とを締付け手段で締付ければ、リング６，６の剛性により他方のフランジ９とフランジ１０との間隔も縮小し、短いボルト１３などの締付け手段により、容易に締付けることができる。
【００３６】
また本発明の方法によれば、袋体２の両端部に杭体１の外径にほゞ一致する小径部１７が形成されているので、固定具５により締付けても皺などが生じることがなく、また小径部１７においては内圧による膨脹が小さいので、固定具５を拡げる力が生じない。
【００３７】
従って本発明によれば、袋体２に高圧の硬化材料４を圧入しても、固定具５が破断することがなく、また硬化材料４の圧力により袋体２が伸長したときに固定具５がそれに伴って移動し得るので、袋体２の両端が固定されることにより均一に固定できる。
【００３８】
また請求項５によれば、杭２１の埋設に不都合が生じて杭２１を杭埋設孔２０から引抜く必要が生じたときにも、袋体２が杭２１の先端に寄ることがなく、容易に引抜くことができる。
【図面の簡単な説明】
【図１】本発明の固定具５の斜視図
【図２】本発明の固定具５の横断面図
【図３】本発明により袋体２を杭体１に取付けた状態を示す側面図
【図４】地盤１９に杭２１を埋設する状態を示す工程図
【図５】本発明により袋体２を杭体１に取付けた状態の主要部の中央縦断面図
【図６】本発明により袋体２を杭体１に取付けた状態の実施例を示す主要部の中央縦断面図
【図７】本発明により袋体２を杭体１に取付けた状態の他の実施例を示す主要部の中央縦断面図
【図８】従来の袋体２の杭体１への取付け構造を示す、主要部の中央縦断面図
【符号の説明】
１  杭体
２  袋体
４  硬化材料
５  固定具
６  リング
７  鋼棒
９  フランジ
１０  受けフランジ
１３  ボルト（締付け手段）
１４  ナット（締付け手段）
１７  小径部
１８  大径部
２１  杭
２３  折返し縁
２４  紐状物
２５  折返し部
２６  リブ
【図１】
0003609479.tif 000002
【図２】
0003609479.tif 000003
【図３】
0003609479.tif 000004
【図４】
0003609479.tif 000005
【図５】
0003609479.tif 000006
【図６】
0003609479.tif 000007
【図７】
0003609479.tif 000008
【図８】
0003609479.tif 000009